(57)【要約】【課題】暖房機能を有する看板装置を提供する。【解決手段】燃焼装置と、該燃焼装置を備える筒体と、該筒体を中央に配置し所定空間を隔て形成される外部筐体と、該外部筐体の上部に配置される熱電変換装置とから構成され、前記燃焼装置によって発生する熱は前記熱電変換装置を加熱して電気に変換されると共に、前記筒体と外部筐体間に設けられた送風手段によって上方に排出して周囲を暖房し、また前記燃焼装置によって発生する炎は、前記筒体と外部筐体を介して発光する。【選択図】        図１
2011043302.tif 000002
【特許請求の範囲】
【請求項１】
暖房機能を有する看板であって、燃焼装置と、該燃焼装置を備える筒体と、該筒体を中央に配置し所定空間を隔て形成される外部筐体と、該外部筐体の上部に配置される熱電変換装置とから構成され、前記燃焼装置によって発生する熱は前記熱電変換装置を加熱して電気に変換されると共に、前記筒体と外部筐体間に設けられた送風手段によって上方に排出して周囲を暖房し、また前記燃焼装置によって発生する炎は、前記筒体と外部筐体を介して発光することを特徴とする看板装置。
【請求項２】
前記燃焼装置は、燃料を供給する燃料供給手段と、該燃料を燃焼させる格子付き釜と、該格子付き釜の下方から外気を供給する外気供給手段と、前記格子付き釜の下方に配置された灰受け手段とからなることを特徴とする請求項１記載の看板装置。
【請求項３】
前記筒体および外部筐体は、透明若しくは半透明の耐熱性素材からなり、前記燃焼装置で発生する炎のゆらぎを投射或いは乱反射する形状に形成されていることを特徴とする請求項１記載の看板装置。
【請求項４】
前記熱電変換装置は、蓄電装置をさらに備え、前記燃焼装置の熱によって加熱されて変換された電気を充電すると共に、前記燃焼装置と、前記送風手段に電気を供給可能とすることを特徴とする請求項１記載の看板装置。
【発明の詳細な説明】
【技術分野】
【０００１】
本発明は看板装置に関し、とくにその内部に燃焼装置を有し、該燃焼装置の燃焼により発生する熱と、光を使用して集客効果を発揮し、さらに燃焼装置に設けた熱電変換装置によって得られる電力を有効活用可能とする看板装置に関するものである。
【背景技術】
【０００２】
従来より、燃焼装置付き照明装置や、燃焼状態を視覚的に表示するデイスプレイ機能を持った暖房機器が販売されている（特許文献１参照。）。
【０００３】
また、商用電力を使用することなく、自然エネルギーを利用する発電手段によって照明し、看板灯として使用する技術も提案されている（特許文献２参照。）。
【０００４】
そして、排熱として排出される熱エネルギーを利用し、発電を行なう技術も提案されている（特許文献３参照。）。
【先行技術文献】
【特許文献】
【０００５】
【特許文献１】特開２００２−１２３０２６号公報
【特許文献２】特開２００６−３３７８８５号公報
【特許文献３】特開２００７−１７０７３０号公報
【発明の概要】
【発明が解決しようとする課題】
【０００６】
しかしながら、上記特許文献１に提案されている技術は、マンションなどの裸火が利用できない屋内で有効なものであるが、屋外で使用できる構造ではなく、商用電力を必要とするものであった。また、上記特許文献２に記載の装置は、太陽光を電力に変換してＬＥＤを発光させて看板灯に利用するものであるが、看板として視覚的な訴求力は備えているものの、集客力を持つものではなかった。そして、特許文献３に記載された技術は、ストーブから発する熱ネネルギーを蒸気に変換して発電を行なうものであり、機構が複雑となると共に、運用に専門家を必要とするものであった。
【０００７】
本発明は、上記の問題点に鑑みなされたもので、商用電力を使用せずに運用が可能であり、暖房機能による集客力と、燃焼装置の発する炎を光源として利用する看板装置を提供する。
【課題を解決するための手段】
【０００８】
このため本発明の看板装置は、燃焼装置と、該燃焼装置を備える筒体と、該筒体を中央に配置し所定空間を隔て形成される外部筐体と、該外部筐体の上部に配置される熱電変換装置とから構成され、前記燃焼装置によって発生する熱は前記熱電変換装置を加熱して電気に変換されると共に、前記筒体と外部筐体間に設けられた送風手段によって上方に排出して周囲を暖房し、また前記燃焼装置によって発生する炎は、前記筒体と外部筐体を介して発光することを特徴とする。
【０００９】
また、前記燃焼装置は、燃料を供給する燃料供給手段と、該燃料を燃焼させる格子付き釜と、該格子付き釜の下方から外気を供給する外気供給手段と、前記格子付き釜の下方に配置された灰受け手段とからなることを特徴とする。
【００１０】
そして前記筒体および外部筐体は、透明若しくは半透明の耐熱性素材からなり、前記燃焼装置で発生する炎のゆらぎを投射或いは乱反射する形状に形成されていることを特徴とする。
【００１１】
しかも、前記熱電変換装置は、蓄電装置をさらに備え、前記燃焼装置の熱によって加熱されて変換された電気を充電すると共に、前記燃焼装置と、前記送風手段に電気を供給可能とすることを特徴とする。
【発明の効果】
【００１２】
本発明の看板装置によれば、燃焼装置によって発生する熱が、耐熱性筒体と外部筐体間に設けられた送風手段によって上方に排出して周囲の暖房を行い、しかも発生する炎は、前記耐熱性筒体と外部筐体を介して発光し、また炎のゆらぎは投射または乱反射されて宣伝効果を出すため、高い集客力と宣伝効果を発揮するという優れた効果を有する。
【００１３】
また、燃焼装置によって発生する熱は前記熱電変換装置を加熱して電気に変換され、さらに蓄電装置を備えているため、変換された電気は燃焼装置と、送風手段に供給できるという優れた効果を有する。
【図面の簡単な説明】
【００１４】
【図１】本発明の看板装置の一実施例を示す斜視図である。
【図２】図１の側面説明図である。
【図３】本発明の看板装置の稼動状況を示す縦断面説明図である。
【発明を実施するための形態】
【００１５】
以下、本発明の装置を一実施例に基づいて説明するが、本発明が本実施例に限定されないことは言うまでもない。図１は本発明の装置の一実施例を示す斜視図、図２は図１の側面説明図、図３は本発明の看板装置の稼動状況を示す縦断面説明図である。
【実施例１】
【００１６】
図１乃至図３は、本発明の看板装置１を示しており、図に示すように本発明の看板装置１は、燃焼装置２を配置した筒状体３と、この筒状体３を中央部に配設した立方体形状の外部筐体４と、外部筐体４の上部に配置された熱変換装置５と、から構成されており、燃焼装置２で発生する熱は、熱変換装置５を加熱して電気に変換されると共に、後述する送風機によって送気されて外部筐体４の周囲を暖房し、また燃焼装置２で発生する炎は、筒状体３と外部筐体４を介して発光し、暖房の熱と炎の光によって集客力と視覚的な訴求力を備えるものである。
【００１７】
燃焼装置２は、燃料供給装置６と、燃焼釜７と、燃焼釜７に外気を供給する外気供給手段８と、燃焼釜７の下方に配置された灰受け装置９とから構成され、耐熱ガラスなどの透明若しくは半透明の耐火材からなる筒状体３に設置されており、燃料である木質ペレット１０を燃料供給装置６によって燃焼釜７へ搬送して、着火手段（図示せず）によって着火して燃焼させる。
【００１８】
燃料供給装置６は、木質ペレット１０を多数蓄積し筒状体３の近傍に配置されたタンク１１と、タンク１１の下方にされ、外部筐体４と筒状体３とを貫通して設けられた搬送装置１２とから構成され、タンク１１の下部に設けられた定量供給手段（図示せず）によって供給された木質ペレット１０は、搬送装置１２によって筒状体３内に搬送され、前述した燃焼釜７に供給される。
【００１９】
燃焼釜７は、格子１３が形成された略皿状の鋳物からなり、筒状体３の下部に設置され木質ペレット１０を保持して燃焼させる。そして外気供給手段８は、燃焼釜７の下方に向かって外気を送気する筒体１４からなり、外部筐体４から筒状体３に貫通して設けられ、ダンパー１５の開閉によって外気の流入量を調節可能とする。
【００２０】
燃焼釜７の下方には、車輪付き灰受け装置９が設けられ、燃焼釜７で燃焼済みの木質ペレット１０の灰１６を受け、排出可能とされている。
【００２１】
熱変換装置５は、ゼーベック効果を利用する熱電素子が使用され、例えばＢｉＴｅ（ビスマス・テルル）などの半導体を使用した多数の素子を組み合わせたモジュールで構成され、温度差２５０度で発電できるものである。そして、発電された電気は後述する蓄電池に充電されるか、上述した燃焼装置２の搬送装置１２の駆動や後述するブロアーの駆動に使用される。
【００２２】
上記の構成の燃焼装置２で発生した熱は、筒状体３内を上昇して、外部筐体４の上部に配置された熱変換装置５を加熱し、外部環境温度との温度差によって電気に変換され、電圧制御装置（図示せず）を介して電気エネルギーとして蓄電池１７に蓄積されると共に、筒状体３の壁面から放熱して外部筐体４を介して周囲に伝達する。また、筒状体３と外部筐体４の間には下方にブロアー１８が設置されており、このブロアー１８によって筒状体３の壁面からの熱を上方へ送気して、吹出し口１９から排出し、外部筐体４の周囲を暖房する。
【００２３】
図２は、図１の側面説明図であり、本発明の看板装置１の視覚的な訴求力を示す一実施例を示すものである。図に示すように、外部筐体４及び筒状体３はそれぞれ耐熱性のガラスなどの透明若しくは半透明の耐火材で形成されており、上述した木質ペレットの燃焼によって発生した炎２０が視認できる。そして、筒状体３側に形成された図柄２１は、炎２０によって外部筐体４に投影されて拡大された図柄２２が形成されると共に、炎２０のゆらぎによって幻想的なイメージを再現する。
【００２４】
すなわち、上記構成の看板装置は、燃焼装置による暖房機能と、発生する炎によって、高い集客力と宣伝効果を発揮する。さらに、災害時などの緊急時においては、発電機能を持った暖房器具として使用することが可能である。尚、本実施例においては、熱変換装置として、ゼーベック効果を利用する熱電素子を例として説明したが、スターリングエンジンによる発電装置であってもかまわない。
【００２５】
以上本発明による看板装置は、燃焼装置によって発生する熱が、耐熱性筒体と外部筐体間に設けられた送風手段によって上方に排出して周囲の暖房を行い、しかも発生する炎は、前記耐熱性筒体と外部筐体を介して発光し、視覚的な訴求力と暖房による訴求力を発揮することができる。また、燃焼装置によって発生する熱は前記熱電変換装置を加熱して電気に変換され、さらに蓄電装置を備えているため、変換された電気は燃焼装置と、送風手段に使用される。
【符号の説明】
【００２６】
１              看板装置
２              燃焼装置
３              筒状体
４              外部筐体
５              熱変換装置
６              燃料供給装置
７              燃焼釜
８              外気供給手段
９              灰受け装置
１０              木質ペレット
１１              タンク
１２              搬送装置
１３              格子
１４              筒体
１５              ダンパー
１６              灰
１７              蓄電池
１８              ブロアー
１９              吹出し口
２０              炎
２１、２２        図柄
【図１】
2011043302.tif 000003
【図２】
2011043302.tif 000004
【図３】
2011043302.tif 000005